(57)【要約】 【課題】屋外側面における蜘蛛の「巣」を張らせない家屋構造を提供することを目的とする。【解決手段】本発明の家屋構造１１は、屋外側面１２の入隅領域１３に表面処理１４が施される。前記入隅領域１３は三側面（１５，１６，１７）又は二側面（１５，１６）で形成され、前記三側面の少なくとも一側面又は前記二側面の少なくとも一側面が蜘蛛等忌避剤１８を有している。入隅領域１３の三側面は、一般的に側面（軒天）１５と側面（側壁）１６と側面（側壁）１７であり、入隅領域１３の上記一側面は側面（軒天）１５である。蜘蛛等忌避剤１８は忌避剤配合アクリル系樹脂を上塗りとして軒天１５（屋根下の軒天井材）に塗布される。【選択図】  図１
2007032073.tif 000002
【特許請求の範囲】
【請求項１】
屋外側面の入隅領域に表面処理が施される家屋構造であって、
前記入隅領域は三側面又は二側面で形成され、前記三側面の少なくとも一側面又は前記二側面の少なくとも一側面に蜘蛛等忌避剤を有することを特徴とする家屋構造。
【請求項２】
請求項１に記載の家屋構造であって、前記一側面が軒先下面であることを特徴とする家屋構造。
【発明の詳細な説明】
【技術分野】
【０００１】
本発明は木質の建築材に関し、詳しくは、屋外側面における蜘蛛の「巣」を妨げる家屋構造の技術に関する。
【背景技術】
【０００２】
従来、植物精油はカビ等の微生物を殺菌する作用や、ダニやゴキブリ等の衛生害虫に対する忌避効果があることが知られている。
【０００３】
このため、床板や壁板、天井板等に用いられる建築材に植物精油を塗布したり、塗料に植物精油を混合して塗布したり、あるいは植物精油を含浸することによって、上記のような効果を建築材に付与することが行われている。
【０００４】
そして、植物精油の塗膜の剥離や接着不良などの問題をなくし、長期に亘って微生物の殺菌作用や衛生害虫に対する忌避効果を持続させる必要があった。
【０００５】
このような従来技術として特許文献１に記載された内容が知られている。図４に示すように、植物精油を含有する繊維により不織布２を作成し、この不織布２を介して基材１の表面に単板３が積層される。
【０００６】
この方法によれば、植物精油は不織布２の繊維内に保持されており急速に揮発することがないので効果を長期に亘って持続させることができる。
【０００７】
また、不織布は単板の割れ防止や建築材を床板として使用する場合の騒音防止のための緩衝層としても寄与することができる。
【特許文献１】特開平５−２９５８０２号公報
【発明の開示】
【発明が解決しようとする課題】
【０００８】
ところが、上記の植物精油を含有する繊維で不織布２を作成し、この不織布２を介して基材１の表面に単板３を積層する方法では、単版の厚さが厚い場合には植物精油の効果が単版表面に現れ難いという問題があった。
【０００９】
さらに、建物の全域を覆う場合にはコストが高くつくという問題があった。
【００１０】
そこで、本発明はかかる従来技術の問題に鑑みなされたものであって、屋外側面に蜘蛛が「巣」を張るのを妨げる家屋構造を安いコストで提供することを目的とする。
【課題を解決するための手段】
【００１１】
請求項１の発明は、屋外側面の入隅領域に表面処理が施される家屋構造であって、前記入隅領域は三側面又は二側面で形成され、前記三側面の少なくとも一側面又は前記二側面の少なくとも一側面が蜘蛛等忌避剤を有することを特徴としている。
【００１２】
請求項２の発明は、請求項１に記載の家屋構造であって、前記一側面が軒先下面であることを特徴としている。
【発明の効果】
【００１３】
請求項１記載の発明によれば、前記入隅領域の少なくとも一側面が蜘蛛等忌避剤を有するので、蜘蛛が「巣」を張るのを妨げる効果が得られる。
【００１４】
また、屋外側面の入隅領域の限られた側面のみに表面処理が施されるので、塗布面積が減少できてコストを下げることができる。
【００１５】
請求項２記載の発明によれば、蜘蛛等忌避剤を有する前記一側面が軒先下面であるため、軒先下面は側壁面よりも表面積が狭いので、請求項１記載の発明の効果に加えて、塗布面積を最少化できるのでさらにコストを下げることができる。
【発明を実施するための最良の形態】
【００１６】
＜本発明の実施形態＞
以下に、本発明の実施形態を図１〜図３に基づいて説明する。
【００１７】
＜家屋構造の構成＞
本発明の家屋構造１１は、図１（ａ）、（ｂ）、図２に示すように、屋外側面１２の入隅領域１３に表面処理１４が施される。そして、前記入隅領域１３は三側面（１５，１６，１７）又は二側面（１５，１６）で形成され、前記三側面の少なくとも一側面又は前記二側面の少なくとも一側面が蜘蛛等忌避剤１８による表面処理１４を有している。
【００１８】
入隅領域１３の前記三側面は、一般的に側面（軒天）１５と側面（側壁）１６と側面（側壁）１７であり、入隅領域１３の前記二側面は側面（軒天）１５と側面（側壁）１６であり、上記の蜘蛛等忌避剤１８を有する一側面は軒天１５（屋根下の軒天井材）である。
【００１９】
蜘蛛等忌避剤１８はアクリル系樹脂６０ｇ／m2内に蜘蛛等忌避剤１８として合成ピレスロイド系（ペルメトリン）が０、１５ｇ／m2の割合で配合されて上塗りとして用いられ、蜘蛛が蜘蛛等忌避剤１８に接触したときに忌避効果を催す接触性忌避剤である。
【００２０】
軒天１５の材料は繊維補強無機材料板、木質系材料、プラスチック、無機繊維板、金属等、いずれの材料でも構わない。
【００２１】
ところで、蜘蛛等忌避剤１８は無色であるが、家屋表面に塗布した場合には塗布領域と塗布されない領域間では若干色ムラが生じるので、特に側壁に蜘蛛等忌避剤１８を塗布すると外観上目立つため好ましくない。逆に、軒天に塗布する場合には軒天が上方領域のため直接人目に触れ難いので外観上あまり目立つことがない。
【００２２】
このため、蜘蛛等忌避剤１８は軒天１５に塗布するのが好ましい。そして、軒天は張出しが短いので側壁に塗布するよりも塗布面積が少なくなるのでコストを下げる面においてもさらに効果が得られる。
【００２３】
なお、蜘蛛等忌避剤１８の軒天１５への塗布は、軒天１５に換気用の孔等が形成されている場合には蜘蛛等忌避剤１８はその孔に沿っても塗布されるので、蜘蛛等忌避剤１８の軒天１５への塗布は軒天１５に含有される状態も含まれる。
【００２４】
ここで、入隅領域と出隅領域とを比較すると、出隅領域は側面間が張出した状態に構成されるので蜘蛛は側面を利用するのが困難となり、家屋から離れた樹木等も利用する必要があるので巣が張り難いと推察される。
【００２５】
一方、入隅領域は囲われた状態であるため側面が利用しやすくなり、側面間距離も短いので蜘蛛の糸の使用量が少なくて済むとともに、風溜りでもあるので捕獲する虫等が自然に舞い込むので補虫効率が向上すると考えられる。
【００２６】
このような状況から、ほとんどの場合蜘蛛の巣は出隅領域よりも入隅領域に張られているので、入隅領域１３を対象に蜘蛛等忌避剤１８を塗布するのが効率上好ましい。
【００２７】
＜蜘蛛等忌避剤の評価試験＞
図３（ａ）、（ｂ）に示すように、箱２１の中に二種類の試験模型２２、２３を設置して、蜘蛛がどちらを選ぶかによって忌避効果を確認する評価実験を実施した。使用した蜘蛛はオオヒメグモ及びズグロオニグモである。
【００２８】
試験模型２２、２３は軒天１５と側壁１６の二側面で形成される入隅領域であり、軒天１５と側壁１６を（入隅領域近傍に限定）補強材２５も備えて左右対称に実材料で再現し、一方の軒天１５ａを「忌避剤なし」他方の軒天１５ｂを「忌避剤あり」とし、試験模型２２、２３全体をガラス又はアクリル樹脂で箱２１で囲い正面から内部を観察できるようにした。
【００２９】
箱２１の大きさは幅Ｌ＝６００ｍｍ、高さＨ＝３００ｍｍ、奥行Ｂ＝３００ｍｍである。
【００３０】
そして、合計２５匹の蜘蛛を使い、一匹毎に試験模型の中立位置に入れて２４時間後どちら側にいるかを確認した。その結果、蜘蛛の居場所は「忌避剤なし」が１２匹、「忌避剤あり」が３匹であった。
【００３１】
忌避率＝｛１２／（１２＋３）｝ｘ１００＝８０％
このように、８０％の蜘蛛が「忌避剤なし」を選び、有意差のある試験結果が得られた。
【００３２】
＜家屋構造の作用＞
上記のように、蜘蛛の巣を張る場合の支えとなる側面が蜘蛛等忌避剤１８によって少なくとも一側面減少するので、蜘蛛が巣を張り難くすることができる。
【００３３】
また、軒天は張出しが短いので側壁に塗布するよりも塗布面積が少なくなるのでコストも下げることができる。
【００３４】
そして、軒天に塗布する場合には軒天が上方領域のため直接人目に触れ難いので外観上あまり目立つことがないので家屋構造としての品質が向上する。
【００３５】
なお、蜘蛛等忌避剤１８の塗布は新築および補修時のどちらの段階でも実施することができる。
【００３６】
以上、本発明の実施形態を図面に基づいて説明したが、上記の実施例はいずれも本発明の一例を示したものであり、本発明はこれらに限定されるべきでないということは言うまでもない。
【００３７】
実施例では、蜘蛛等忌避剤１８は軒天１５に有しているが、側壁１６に有しても構わない。
【００３８】
さらに、前記三側面の少なくとも一側面又は前記二側面の少なくとも一側面に蜘蛛等忌避剤１８を有する替わりに、蜘蛛等忌避剤１８を前記三側面の二側面或いは屋外全側面に用いてもよい。
【００３９】
蜘蛛等忌避剤１８が持続性よりも即効性を求められている場合には揮発性のエアゾールタイプで噴霧塗布してもよい。
【００４０】
蜘蛛等忌避剤１８を家屋構造１１の屋外側面１２に塗布する替わりに、予め建材そのものに塗布しておいてもよい。
【図面の簡単な説明】
【００４１】
【図１】本発明の実施形態における家屋構造１１の入隅領域１３の構成で、（ａ）は三側面で形成される状態を示す斜視図、（ｂ）は二側面で形成される状態を示す斜視図である。
【図２】本発明の実施形態における、軒天１５に蜘蛛等忌避剤１８が塗布された状態を示す軒天１５の断面図である。
【図３】本発明の実施形態における、（ａ）は蜘蛛等忌避剤の評価試験用の模型を示す正面図、（ｂ）は図３（ａ）のＡ−Ａ矢視図である。
【図４】従来例における、不織布２を介して基材１の表面に単板３を積層した状態を示す建物材の断面図である。
【符号の説明】
【００４２】
１１  家屋構造
１２  屋外側面
１３  入隅領域
１４  表面処理
１５  側面（軒天）
１６  側面（側壁）
１７  側面（側壁）
１８  蜘蛛等忌避剤
【図１】
2007032073.tif 000003
【図２】
2007032073.tif 000004
【図３】
2007032073.tif 000005
【図４】
2007032073.tif 000006